(57)【要約】フィルタ（１６）から物質を取り除く方法が開示される。方法はフィルタ媒体（３８）の目詰まり状態を測定するステップを含み得る。方法は、目詰まり状態に基づいて、フィルタ媒体に向けられる複数の衝撃波を誘発するために、フィルタ媒体の外側の電極（４２）とフィルタ媒体のハウジング（４０）との間に少なくとも１つの電圧パルスを印加するステップも含み得る。
2015505002.tif 000002
【特許請求の範囲】
【請求項１】
フィルタ（１６）から物質を取り除く方法であって、
フィルタ媒体（３８）の目詰まり状態を測定するステップと、
目詰まり状態に基づいて、フィルタ媒体に向けられる複数の衝撃波を誘発するために、フィルタ媒体の外側の電極（４２）とフィルタ媒体のハウジング（４０）の間に少なくとも１つの電圧パルスを印加するステップと
を含む、方法。
【請求項２】
少なくとも１つの電圧パルスが、複数の衝撃波を誘発する非熱プラズマ（５８）を発生させる、請求項１に記載の方法。
【請求項３】
少なくとも１つの電圧パルスが複数の電圧パルスを含む、請求項２に記載の方法。
【請求項４】
フィルタ内部から圧力データを取得するステップと、
圧力データに基づいて第１の衝撃波の組の衝撃波周波数スペクトルを決定するステップと、
衝撃波周波数スペクトルに基づいて、複数の電圧パルスの上昇時間を調整するステップと
をさらに含む、請求項４に記載の方法。
【請求項５】
衝撃波によってフィルタから除去された粒子状物質を排除するためにフィルタ整備システム（６２）を起動するステップをさらに含む、請求項１に記載の方法。
【請求項６】
排気流（１４）から物質を収集するように構成されたフィルタ媒体（３８）と、
フィルタ媒体を囲む導電性ハウジング（４０）と、
フィルタ媒体の目詰まり状態を監視するように構成された診断装置（２６）と、
フィルタ媒体と別個の導電性ハウジング内に配置され、導電性ハウジングから電気的に絶縁された電極（４２）と、
複数の衝撃波が導電性ハウジング内で発生されるように電極と導電性ハウジングとの間に電圧パルスを印加するように構成されたパルス発生器（４４）と、
パルス発生器および診断装置と通信する再生制御器（３０）であって、目詰まり状態に基づいてパルス発生器を起動するように構成されている再生制御器（３０）と
を含む再生システム（１２）。
【請求項７】
パルス発生器が複数の電圧パルスを電極に印加するように構成された、請求項１２に記載のシステム。
【請求項８】
衝撃波が電極から離れてフィルタ媒体を通って伝播し、導電性ハウジングに反射し、逆戻りしてフィルタ媒体を通って電極に向かって伝播するように電極が導電性ハウジングに結合される、請求項１２に記載のシステム。
【請求項９】
圧力センサをさらに含み、
再生制御器がさらに、
圧力センサ（６０）からデータを取得し、
データに基づいて複数の電圧パルスの上昇時間を調整する
ように構成された、請求項１３に記載のシステム。
【請求項１０】
フィルタ媒体の片側に負圧を発生させるように構成された真空貯蔵装置（７０）と、
フィルタ媒体の反対側で加圧気体を放出するように構成された気体貯蔵装置（６６）と、
フィルタ媒体から除去された粒子状物質を収集するように構成された容器（７２）と
をさらに含み、
再生制御器は、フィルタ媒体の再生が完了すると真空貯蔵装置および気体貯蔵装置を起動するように構成された、請求項１２に記載のシステム。
【発明の詳細な説明】
【技術分野】
【０００１】
本開示はフィルタ再生方法およびシステムを対象とし、詳細には、粒子フィルタを再生するためにパルス化プラズマを使用する方法およびシステムを対象とする。
【背景技術】
【０００２】
ディーゼルエンジン、ガソリンエンジン、天然ガスエンジン、および当技術分野で知られる他のエンジンを含むエンジンは、汚染物質の複合混合物を排出する。汚染物質は、粒子状物質および硫黄化合物を含む気体状および固体物質から構成される。
【０００３】
環境への関心が高まったことにより、エンジン排出物質の基準はこの数年間ますます厳しくなってきており、エンジンから排出される汚染物質の量は、エンジンの型、サイズおよび／またはクラスに応じて規制され得る。環境に排出される粒子状物質および硫黄化合物の規制に適合するためにエンジン製造業者らによって実行されてきた１つの方法は、フィルタによってエンジンの排気流からこれら汚染物質を取り除くことであった。しかし、そのようなフィルタの使用が長引くことによりフィルタの構成要素に汚染物質が蓄積され、それによりフィルタ機能およびエンジン性能が低下する恐れがある。フィルタの使用を延ばす１つの方法は、高温の適用によりフィルタを再生することである。しかしながら従来の方法でフィルタを再生することは、例えばフィルタのサイズ、フィルタ媒体の構造および材料組成、および使用される熱源の種類に依存して、８時間以上かかる場合がある。そのような長い再生期間は、特定の機械環境では望ましくない可能性がある。さらに、再生に必要な温度は５００℃を超え得る。そのような温度では、フィルタに含有される煤が自然に燃焼する可能性があり、その結果フィルタおよび／またはその構成要素が損傷する。
【０００４】
蓄積した汚染物質をフィルタから取り除く代わりの方法は、フィルタが装着されている機械から目詰まりしたフィルタを取り外し、逆方向からフィルタを通して気体流を向けることであり得る。効果的ではあるが、フィルタは大型で重く、取り外しが難しい場合がある。これによりこの方法でフィルタを整備することは面倒で、時間が掛かり、危険なものになる。
【０００５】
国際公開の（特許文献１）（「４０６号公開」）は、フィルタを再生する異なる方法およびシステムを教示している。具体的には、（特許文献１）は、フィルタが定位置にあり続ける間に粒子状物質をフィルタから除去する圧力波を生成するために少なくとも１つの電気アーク放電を使用することを開示している。
【０００６】
（特許文献１）はフィルタを再生するより簡単な方法を教示し得るが、この特許に記載されているシステムは、フィルタ媒体内に分散される複数の電極の使用を必要とする。これら電極により全体的なコストおよびシステムの複雑さが増す。さらに電極はフィルタ媒体に埋め込まれているので、システムは（特許文献１）で開示されているシステムで作動するように特別に設計されたフィルタを用いて専ら作動可能であり得る。
【先行技術文献】
【特許文献】
【０００７】
【特許文献１】国際公開第２０１０／０３７４０６号パンフレット
【発明の概要】
【発明が解決しようとする課題】
【０００８】
本開示は、上に記載した問題および／または他の従来技術の問題の１つまたは複数を克服することを対象とする。
【課題を解決するための手段】
【０００９】
一態様において、本開示はフィルタから物質を取り除く方法に関する。方法はフィルタ媒体の目詰まり状態を測定するステップを含み得る。目詰まり状態に基づいて、方法はまた、フィルタ媒体に向けられる複数の衝撃波を誘発するために、フィルタ媒体の外側の電極と、フィルタ媒体のハウジングとの間に少なくとも１つの電圧パルスを印加するステップを含み得る。
【００１０】
別の態様において、本開示は再生システムに関する。再生システムは、排気流から物質を収集するように構成されたフィルタ媒体と、フィルタ媒体を囲む導電性ハウジングとを含み得る。再生システムはまた、フィルタ媒体の目詰まり状態を監視する診断装置を含み得る。さらに再生システムは、フィルタ媒体と別個の導電性ハウジング内に配置され、導電性ハウジングから電気的に絶縁された電極と、複数の衝撃波が導電性ハウジング内で生成されるように電極と導電性ハウジングとの間に電圧パルスを印加するように構成されたパルス発生器とを含み得る。再生システムはまた、パルス発生器および診断装置と通信する再生制御器を含み得、再生制御器は目詰まり状態に基づいてパルス発生器を起動するように構成されている。
【図面の簡単な説明】
【００１１】
【図１】例示的に開示される可動式動力およびフィルタ再生システムの線図である。
【図２】例示的に開示される固定式フィルタ再生システムの線図である。
【発明を実施するための形態】
【００１２】
図１は、本開示と一致するフィルタ再生システム１２を組み込む例示的動力システム１０を示す。本開示のため、動力システム１０は、汚染物質を含有する排気ガス１４の流れを生成する内燃機関、例えばガソリン、ディーゼル、または気体燃料作動エンジンとして描かれ、記載される。動力システム１０は、移動システム、たとえば長距離輸送トラック、ドーザ、モータグレーダ、またはホイールローダの一部であり得る。さらにいくつかの実施形態では、動力システム１０は、固定式システム（図２を参照して以下で考察される）、例えば加熱炉、発電設備、ポンプ場等の一部であり得る。汚染物質は気体および固体物質から構成され、粒子状物質および硫黄化合物を含む。動力システム１０は、排気ガス１４から汚染物質の一部または全てを取り除くために、粒子フィルタ１６（「フィルタ１６」）を含む。しかしながら、動力システム１０は、排気ガスから汚染物質（例えば粒子状物質）を取り除くためにフィルタが使用される当技術分野で知られている他のいかなる種類のガス生成、処理および／または取扱いシステムをも具現化し得ることが考えられる。
【００１３】
動力システム１０は、内燃機関として、複数のシリンダ２０およびシリンダ２０内に配置される複数のピストンのアセンブリ（不図示）を少なくとも部分的に画定するエンジンブロック１８を含み得る。シリンダ２０はピストンとともに複数の燃焼室を形成し得る。動力システム１０は任意の数の燃焼室を含み得ること、および燃焼室は「直列」構造、「Ｖ」構造または他のいずれかの従来の構造で配置され得ることが考えられる。排気流路２２は燃焼室から大気へ延び得、フィルタ１６は１つまたは複数の異なる処理装置（例えば還元剤インジェクタ、触媒、希釈装置等）とともに、排気流路２２に配置され得る。
【００１４】
いくつかの実施形態では、動力システム１０は、エンジン制御器２４が装備され得る。これら実施形態では、エンジン制御器２４は、粒子状物質の生成および／またはその大気への放出に影響を及ぼすために、動力システム１０の動作、例えば燃料噴射、ブースティング、ガス混合、バルブタイミング、排気ガス再循環、還元剤供給、フィルタ再生、および他の動作を調整するように構成され得る。
【００１５】
いくつかの実施形態では、１つまたは複数の診断装置２６がフィルタ１６の出口２８の近くに配置され得る。診断装置２６は例えば、動力システム１０またはフィルタ１６が接続される装置の一部であり得、かつフィルタ１６の外側にあり得る。あるいは、診断装置２６はフィルタ１６の内側にあり得る。診断装置２６は例えば、流量計、排出物質メータ、圧力変換器、または他のセンサなど、当該技術分野で知られるいずれかの検出装置であり得る。そのような診断装置２６は例えば、フィルタ１６の目詰まり状態を検出し得る。少なくとも１つの診断装置２６はフィルタ媒体３８の上流に位置付けられ得、少なくとも１つの診断装置２６はフィルタ媒体３８の下流に位置付けられ得る。この構成では、診断装置２６は、フィルタ媒体３８を横切る圧力降下を監視し得る。圧力降下はフィルタ媒体の目詰まりの指標（例えばフィルタ１６の飽和百分率）であり得る。さらに診断装置２６は汚染物質レベル情報をエンジン制御器２４に、再生制御器３０に、他の装置（不図示）またはそれらの組み合わせに送信し得、そして例えばフィルタ再生および／またはフィルタ整備のトリガを支援し得る。本明細書で使用される際、用語「再生」は煤および灰をフィルタ１６から除去すること、または除去とフィルタ１６内の温度を上昇させる酸化技術との組み合わせを意味することが理解される。
【００１６】
出口弁３２がフィルタ１６の出口２８の近くに配置され得、入口弁３４がフィルタ１６の入口３６の近くに配置され得る。出口弁３２および入口弁３４は、使用の要件に応じて、同じ型の弁であってもよく、または異なる型の弁であってもよい。出口および入口弁３２、３４は例えば、ポペット弁、バタフライ弁または当技術分野で知られる他のいずれかの型の制御可能な弁であってもよい。出口および入口弁３２、３４は、任意の範囲の排気流がエンジンブロック１８からフィルタ１６へ、およびフィルタ１６から外へ流れることを可能にするように制御され得る。出口および入口弁３２、３４は、エンジンブロック１８の排気流を完全に制限するように位置付けられ得るか、排気流が制限されずに流れることを可能にし得る。出口および入口弁３２、３４は、当技術分野で知られるいずれかの従来式手段によって、フィルタ１６に接続され得る。
【００１７】
フィルタ１６は例えば発泡コーディエライト、焼結金属または炭化ケイ素型フィルタなど、当技術分野で知られるいずれかの型のフィルタであり得る。フィルタ１６はフィルタ媒体３８を含み得る。フィルタ媒体３８は、汚染物質を排気流から取り除くのに有用ないずれかの物質であり得る。本開示のいくつかの実施形態では、フィルタ媒体３８は例えば、煤、粒子状物質および／または当技術分野で知られる他の汚染物質を収集することができる触媒物質を含み得る。そのような触媒物質は例えば、アルミナ、白金、ロジウム、バリウム、セリウム、アルカリ金属、アルカリ土類金属、希土類金属またはそれらの組み合わせを含み得る。フィルタ媒体３８は水平、垂直、径方向またはらせん状に配置され得る。フィルタ媒体３８はまた、汚染物質のろ過に利用できる表面領域を最大化するように、ハニカム状、メッシュ状、または他のいずれかの構成で配置された複数のチャネルを含み得る。さらにフィルタ１６は、例えばステンレス鋼、鋼、鉄等などの導電性物質から作製されたフィルタハウジング４０を含み得る。フィルタハウジング４０は、（図２を参照して以下で考察される）フィルタ媒体３８から除去された物質の取出しを可能にする１つまたは複数のアクセス点４１を含み得る。アクセス点４１は、煤、灰または他の粒子状物質のフィルタからの取出しを促す場所（例えば解放された物質が収集され得る低い地点）にあり得る。さらに、いくつかの実施形態では、物質は出口２８、入口３６またはそれらの組み合わせを介して、フィルタ１６から取り除かれ得る。
【００１８】
フィルタ再生システム１２は、フィルタ１６を再生するべく協働する構成要素を含み得る。フィルタ再生システム１２は、とりわけ、電極４２、パルス発生器４４、電圧測定装置４６、電流測定装置４８、および再生制御器３０を含み得る。電極４２は、電極４２とフィルタハウジング４０の間の放電経路がフィルタ１６内に作り出され得るように、フィルタ１６内で排気ガス１４と流体連通して位置付けられ得る。電極４２はフィルタ１６の両側に位置付けられ得る。パルス発生器４４、電圧測定装置４６、電流測定装置４８、および再生制御器３０は、動力システム１０上の任意の場所に、または動力システム１０のすぐ近くに位置付けることができ、および電極４２と、および／またはエンジン制御器２４と相互に通信し得る。
【００１９】
電極４２は導電性要素、例えば、カーボンナノチューブ、カーボンファイバ、ステンレスまたは非ステンレス鋼、タンタル、白金、タングステン、銀、金、高度ニッケル合金、銅または他の導電性要素から構成される要素を具現化し得る。標準的な作動（例えば、フィルタハウジング４０がアース５０に接続され、負の電圧が電極４２とフィルタハウジング４０の間に印加される）の間、電極４２は絶縁体５２によってアース５０から絶縁され得る。絶縁体５２は例えば、酸化アルミニウム、窒化アルミニウム、磁器、窒化ホウ素、または他の絶縁要素から作製された物質を含み得る。負の電圧パルスが一般に正の電圧パルスより多数の電子を生成する一方、他の作動では、正の電圧パルスが電極４２とフィルタハウジング４０の間に代わりに印加され得る。
【００２０】
電極４２は、ディスク構造を有し得る。この構造では電極４２は、上側電極面５４を有するディスク状構成要素を有する。上側電極面５４は複数のカーボンファイバ５６から構成され得る。カーボンファイバ５６はこの実施形態では、直径約５〜１５μｍであり、数百ミクロンの長さであり得る。カーボンファイバ５６の比較的小さい直径の結果、印加される電界が非常に増強され得、それはプラズマの発生を補助する。電極４２のディスク形状は、フィルタハウジング４０内の電極４２の空間要件を最小化するのに有益であり得る。しかしながら、多くの他の電極構造も可能であることに留意されたい。例えばディスク形状の代わりに、電極４２は球状に成形されること、点になること、多数の点を有することなどができる。
【００２１】
パルス発生器４４の構造は、容量的構成、誘電的構成またはそれらの組み合わせに基づくことができる。容量に基づく構成は、直列（例えばコンデンサバンク）または並列（例えばマルクスバンク）に配置される１つまたは複数のコンデンサを含み得る。誘電性に基づく構成は、誘電性加算器（ｉｎｄｕｃｔｉｖｅ  ａｄｄｅｒ）としても知られる誘電コイルなどの１つまたは複数の磁気インダクタを含み得る。容量的−誘電的構成の組み合わせは、磁気圧縮の使用を通して相互に機能するように結合された誘電的および容量的構成要素の両方を含み得る。さらにいくつかの実施形態では、パルス発生器４４は所望なら１つまたは複数の伝送線（例えばＢｌｕｍｌｉｅｎ）を使用し得る。パルス発生器４４は所望のとおりに独立型構成要素であり得るか、あるいは再生制御器３０の一体部分を形成し得る。
【００２２】
パルス発生器４４は電源（不図示）を含み得るか、電源に接続され得る。一例では、パルス発生器４４は、電源として機能する一体型エネルギー貯蔵装置を含み得る。別の例では、エネルギー貯蔵装置は別個のユニット、例えば１つまたは複数のコンデンサのバンク、１つまたは複数のインダクタのバンク、またはそれらの組み合わせであり得る。エネルギー貯蔵装置はこれらの実施形態では、別個の供給電圧（例えば動力システムバッテリ、整流されたユーティリティ電圧等からの電圧）によって充電され得る。
【００２３】
パルス発生器４４は、フィルタ１６に非熱プラズマ５８を生成する電極４２とフィルタハウジング４０の間の放電を発生させるように、１つまたは複数の負の電圧パルスを生成し、電極４２に適用するように制御され得る。いくつかの実施形態では、パルス発生器４４は、別個のパルスの連続的な列を生成することが可能であり得る。しかしながら、パルス発生器４４はさらにまたは代わりに、要望のとおりに１つまたは複数の正の電圧パルスを生成するように構成され得ることが考えられる。
【００２４】
パルス発生器４４の出力は、放電中、電極４２とフィルタハウジング４０の間のパルス化非熱プラズマの生成を補助するように調整され得る。特に、パルス発生器４４によって生成されるパルスの幅、振幅および周波数の１つまたは複数を再生制御器３０によって選択的に調整し、それにより得られる非熱プラズマ５８の特性を制御することができる。例えばパルス幅を、約１〜１０μｓの範囲内で変えることができ、パルス振幅を約１０〜８０ｋＶの範囲内で変えることができる。同じく、パルス周波数は単一パルスからｋＨｚの周波数までの範囲にあり得る。電圧パルス上昇時間は好ましくは１０ｎｓ未満である。さらにいくつかの実施形態では、パルス発生器４４は、電圧パルスの上昇時間を動的に調整し得る。さらに、電極４２とフィルタハウジング４０の間の（熱プラズマ、例えばアークとは対照的に）非熱プラズマの生成は、電極腐食およびフィルタ再生システム１２のエネルギー供給要件の低減を支援し得、および電気放電の他の形態より長いプラズマチャネルを提供し得る。
【００２５】
電圧測定装置４６は、電極４２とアース５０との間の実際の電圧を測定するように構成された分圧器、例えば抵抗性または容量性分圧器を具現化し得る。電圧測定装置４６は、実際の電圧を示す電圧信号を生成し、さらなる処理のために電圧信号を再生制御器３０へ向けるように構成され得る。さらに電圧測定装置４６は所望なら、電圧信号を別のシステムまたは装置へ、例えばエンジン制御器２４へ、オシロスコープへ、車外コンピュータ等へ提供するように構成され得ることが考えられる。
【００２６】
電流測定装置４８は、放電中の電極４２とアース５０の間の実際の電流を実際の電流を測定するように構成された変流器を具現化し得る。電流測定装置４８はさらに、実際の電流を示す電流信号を生成し、電流信号をさらなる処理のために再生制御器３０へ向けるように構成され得る。さらに電流測定装置４８は所望なら、電流信号を別のシステムまたは装置へ、例えばエンジン制御器２４へ、オシロスコープへ、車外コンピュータ等へ、提供するように構成され得ることが考えられる。
【００２７】
再生制御器３０は、プロセッサ（不図示）、メモリ（不図示）、および／またはデータインターフェース（不図示）を含み得る。プロセッサは、特定の命令セットを実行できる単一または多数のマイクロプロセッサ、フィールドプログラマブルゲートアレイ（ＦＰＧＡ）あるいはデジタルシグナルプロセッサ（ＤＳＰ）であり得る。プロセッサによって実行される命令はプロセッサに予めローディングされ得るか、ランダムアクセスメモリ（ＲＡＭ）、リードオンリーメモリ（ＲＯＭ）、ハードディスク、光学ディスク、磁気媒体、フラッシュメモリ、他の永久メモリ、他の揮発性メモリ、またはプロセッサに命令を与えることができる他のいずれかの有形機構など、別個のコンピュータ可読メモリ（不図示）あるいは他の別個の記憶装置（不図示）に記憶され得る。さらに１つまたは複数のルックアップテーブル（不図示）が要望のとおりにプロセッサおよび／または別個のコンピュータ記憶媒体に記憶され、命令を実行する間、プロセッサによって参照され得る。
【００２８】
当然のことながら、再生制御器３０は専らフィルタ再生機能に特化させることができ、あるいは、エンジン制御器２４と一体化し、多数の動力システム機能および動作モードを制御可能とすることができる。エンジン制御器２４と別個の場合、再生制御器３０はデータリンクまたは他の方法を介してエンジン制御器２４と通信し得る。動力供給回路、信号調整回路、アクチュエータ駆動装置回路（すなわちソレノイド、モータまたはピエゾアクチュエータに動力供給する回路）、通信回路、および他の適切な回路を含む様々な他の公知の回路が再生制御器３０と関連付けられ得る。いくつかの実施形態では、再生制御器３０は、使用者から入力を受け取り、また使用者に情報を出力するために、入力／出力装置（例えばモニタ、キーボード、プリンタ等）に結合され得る。再生制御器３０は、要望通りに、他のシステムおよび／または装置、例えばオシロスコープ、コンピュータ等と通信するように構成され得る。さらにいくつかの実施形態では、再生制御器３０は、制御信号を送るように、またはパルス発生器４４、電圧測定装置４６、電流測定装置４８、電極４２、１つまたは複数の診断装置２６および１つまたは複数の衝撃波センサ６０（例えば以下で考察されるような）の１つまたは全てと通信するように構成され得る。
【００２９】
再生制御器３０によって使用されるルックアップテーブルは、フィルタ１６の再生プロセスを開始するかどうかを決定するのに有用な情報を含み得る。例えばルックアップテーブルは、様々なエンジン動作状態および関連のフィルタ目詰まり状態下、フィルタ１６に残る煤または他の汚染物質の汚染物質閾値レベル情報を含み得る。さらにいくつかの実施形態では、ルックアップテーブルは、フィルタ媒体３８の目詰まり状態に関連する圧力データを含み得る。その後、測定された汚染物質レベル、圧力データまたはそれらの組み合わせの値は、フィルタ再生を開始するべきかどうかを決定するために、ルックアップテーブルを用いて再生制御器３０によって参照され得る。この動作の一例が、本開示の以下の節に提供される。
【００３０】
さらにルックアップテーブルは、非熱プラズマ５８が複数の衝撃波を含むように非熱プラズマ５８を生成するために必要とされる電圧パルスパラメータを含み得る。具体的には、非熱プラズマ５８を生成する各電圧パルスは、関連する誘発衝撃波のセットを有する。衝撃波は、プラズマ放電によって誘発される超音波圧力波である。非熱プラズマ５８の中の高エネルギー電子が、電極４２に向かって高エネルギーで加速され、非熱プラズマ５８内およびその周囲の空気圧の急増を引き起こす。圧力の急増により非熱プラズマ５８の周囲および中の空気の急速な膨張が発生される。非熱プラズマ５８は複数の放電チャネル（例えばストリーマ）を含み得、および各放電チャネル近くの空気の膨張により複数の超音波衝撃波が生成され得る。
【００３１】
電圧パルスパラメータは、電圧パルス上昇時間、電圧パルス振幅、電圧パルス幅、および電圧パルス周波数を含む。電圧パルスの上昇時間は、より短い上昇時間により衝撃波の周波数スペクトルが上昇するように、１つまたは複数の衝撃波の周波数と相関する。電圧パルスパラメータは、非熱プラズマ５８が１０〜２０ＧＨｚの周波数スペクトルを有する複数の衝撃波を生成するようなものである。印加電圧パルスの電圧パルスパラメータは、衝撃波の波長スペクトルがフィルタ媒体３８のチャネル直径のオーダーであり得るように選択されることが同じく考えられる。波長スペクトルは、衝撃波の伝播速度で割った関連する周波数スペクトルに一致する。いくつかの実施形態では、ルックアップテーブルは、動作構成および状態（例えば気体圧、気体温度、汚染物質レベル、フィルタ媒体チャネル直径、および電極構成）の範囲にわたる電圧および電流パルスパラメータを含み得る。ルックアップテーブルは、これら異なる電圧パラメータを、対応する状態および予想される衝撃波周波数スペクトルと一緒に、記憶し得る。
【００３２】
１つまたは複数の衝撃波センサ６０が、フィルタ１６内の衝撃波発生を監視するために、再生制御器３０に関連付けられる。例えば衝撃波センサ６０は、衝撃波による圧力の急速な変化を測定する圧力センサを含み得る。衝撃波センサ６０はフィルタ媒体３８の両側の位置においてフィルタ１６内に配置され得、再生制御器３０に向けられる対応する信号を生成するように構成され得る。いくつかの実施形態では、再生制御器３０は、信号に基づいて衝撃波周波数スペクトルを決定するように、かつ従ってルックアップテーブルの使用に影響を及ぼすように構成され得る。衝撃波周波数スペクトルはあるいは、所望なら直接測定される代わりに、急速反応時間を用いて温度センサ（不図示）から計算され得ることが考えられる。所望なら他のパラメータ、例えば排気ガス１４の湿度が代わりに検出され、ルックアップテーブルの使用に影響を及ぼすように利用され得ることがさらに考慮される。
【００３３】
再生制御器３０は、特定の特性を有する電圧パルスを選択的に発生するようにパルス発生器４４の動作を調整し得る。具体的には再生制御器３０は、パルス発生器４４によって発生されるパルスの電圧、幅および／または周波数を動的に調整するように構成される。あるいは再生制御器３０は、１つまたは複数の予め決定された電圧パルスを発生するために、単にパルス発生器４４をトリガするように構成され得る。いくつかの実施形態では、再生制御器３０は、どの電圧パラメータが所望の衝撃波周波数に関連付けられるかを決定するためにルックアップテーブルを参照し得る。作動中、所望の衝撃波周波数が発生しない場合、再生制御器３０は所望の衝撃波周波数を発生させるために、電圧パルスパラメータを動的に調整し得る（例えば電圧パルス上昇時間を増大して衝撃波周波数を増大させる）。
【００３４】
再生制御器３０は、閾値レベルを超えるフィルタ媒体３８の目詰まり状態の検出に応答して、特定の修正動作を取り得る。修正動作は例えば、１つまたは複数の再生サイクルを開始すること、動作の連続再生モードに入ること（例えば動力システム１０が特に高いレベルの汚染物質を生成している場合にこれは発生し得る）、エンジン制御器２４を介して動力システム１０の作動に対し調整を行うこと、またはフィルタ１６から灰および煤を自動的に取り除くようにフィルタ整備システム６２（図２を参照して以下で考察される）に命令することを含み得る。いくつかの実施形態では再生制御器３０は、フィルタ１６を交換すべきと決定し、この助言を再生システム１２または動力システム１０の使用者に伝えるように構成され得る。
【００３５】
除去された粒子状物質はアクセス点４１を介してフィルタ１６から取り除かれ得る。さらに、いくつかの実施形態では物質は出口２８、入口３６またはそれらの組み合わせを介してフィルタ１６から取り除かれ得る。アクセス点４１はアクセスドアを含み得、それによりフィルタ媒体３８の手動取り除き、フィルタハウジング４０内のフィルタ媒体３８へのアクセス、フィルタ１６への内部アクセス、またはそれらの組み合わせが可能になり、その結果、除去された粒子状物質はフィルタ媒体３８およびフィルタハウジング４０から取り除かれ得る。粒子状物質は、真空または他の方法によって圧縮空気で吹き飛ばすことによって取り除かれ得る。いくつかの実施形態では、出口および入口弁３２、３４の１つまたは両方は、粒子状物質を取り除く間、開放され得る。いくつかの実施形態では、取り除きは、移動の間自動的に、あるいは整備場で停止されるとき、自動的または手動により達成され得る。さらに粒子状物質の取り除きは、周期的にまたは再生制御器３０またはエンジン制御器２４によってトリガされるとき、実行することができる。
【００３６】
図２はフィルタ再生システム１２およびフィルタ整備システム６２の固定実施形態を示す。フィルタ整備システム６２は、例えば固定整備場でフィルタ１６を整備するために協働する構成要素を含み得る。フィルタ整備システム６２は、とりわけ、気体供給源６４、気体貯蔵装置６６、真空源６８、真空貯蔵装置７０、および容器７２を含み得る。フィルタ整備システム６２は、再生制御器３０、エンジン制御器２４、またはそれらの組み合わせと通信し得、かつ再生制御器３０、エンジン制御器２４、またはそれらの組み合わせによって制御され得る。
【００３７】
気体ライン７４がフィルタ整備システム６２の各種構成要素を接続し、それにより加圧気体が気体供給源６４からフィルタ１６へ流れることが可能になり得る。気体ライン７４は、当技術分野で知られるいずれかの種類の管、パイプ、またはホースであり得る。気体ライン７４は例えば、プラスチック、ゴム、アルミニウム、銅、鋼、または圧縮気体を制御された方法で送達できる他のいずれかの材料であり得、可撓性または剛性であり得る。気体ライン７４の長さは、気体供給源６４とフィルタ１６の間の圧力降下を低減しながら、フィルタ整備システム６２の運転を促すように最小化され得る。
【００３８】
気体供給源６４は例えば空気圧縮機、または気体を圧縮して圧縮気体を気体ライン７４を通して送達できる他のいずれかの装置を含み得る。本開示の１つの例示的実施形態では、気体供給源６４は、当技術分野で知られる種類の整備場空気圧縮機であり得、約７０〜１１０ｐｓｉの圧縮された空気または他のいずれかの気体を供給し得る。この幅は使用される気体供給源６４の寸法に依存して増大または低減され得る。気体供給源６４は気体を、パルス流、均一流またはそれらの組み合わせで送達し得る。気体は、例えば空気、酸素、水素、窒素、またはヘリウムなど、フィルタ１６から灰または他の物質を取り除くのに有用な当技術分野で知られるいずれかの気体であり得る。気体は気体ライン７４を通して圧縮かつ送達可能であり得ることが理解される。
【００３９】
気体貯蔵装置６６が気体供給源６４の下流に位置付けられ得、気体供給源６４の出口が気体ライン７４によって気体貯蔵装置６４の入口に流体接続され得る。気体貯蔵装置６６は加圧気体を貯蔵できるいずれかの装置であり得る。気体貯蔵装置６６は例えば、高圧気体タンクまたは拡張可能貯蔵容器を含み得る。本開示のフィルタ整備システム６２に流体接続される前に気体貯蔵装置６６が加圧気体を含む実施形態では、気体供給源６４は省略され得る。気体貯蔵装置６６は当技術分野で知られるいずれかの材料から作製され得、剛性または可撓性であり得る。そのような材料は例えば、鋼、鋳鉄、銅、アルミニウム、チタニウム、および／またはそれらのいずれかの合金または組合せを含み得る。さらに気体貯蔵装置６６はまた、プラスチック、ゴム、ビニル、ポリテトラフロロエチレン、延伸ポリテトラフロロエチレン、またはそれらの誘導体もしくは組み合わせから作製され得る。さらに別の代替実施形態では、気体貯蔵装置６６は、上で記載された金属および／または非金属のいずれかの組み合わせから作製され得る。
【００４０】
気体貯蔵装置６６は、例えばフィルタなどの装置に、制御された量の高圧気体を供給するのに有用ないずれかの容量を有し得る。気体貯蔵装置６６は大気に対して任意の所望の圧力で気体を貯蔵可能であり得る。例えば本開示の一実施形態では、気体貯蔵装置６６は、例えばコーディエライトプラグを含有するフィルタを整備するのに安全であり得る範囲の加圧気体を貯蔵可能であり得る。そのようなプラグおよび他の類似のフィルタ媒体３８は、約１５０ｐｓｉより高い圧力を受けると損傷する可能性がある。
【００４１】
気体貯蔵装置６６は、例えば流れ、圧力、温度、または当技術分野で知られる他の流れ基準値を検出することができる少なくとも１つの気体貯蔵装置センサ７６を含み得る。気体貯蔵装置６６を例えば気体ライン７４に流体接続するために使用される連結器または他の手段は、気体貯蔵装置６６内の気体圧と関係なく密閉接続を形成するように寸法決めおよびその他の方法で設計され得る。気体貯蔵装置６６のハウジング壁厚もそのような圧力に適切であり得る。さらに気体貯蔵装置６６は、所望量の加圧気体を貯蔵し、制御可能に放出するように有利に成形され得る。例えば気体貯蔵装置６６は、構造的一体性を最大化するために、円筒状または球状であり得る。
【００４２】
気体貯蔵装置弁７８が気体貯蔵装置出口８０の近くに配置され得る。気体貯蔵装置弁７８は例えばポペット弁、バタフライ弁、制御可能な膜、または当技術分野で知られる他のいずれかの型の制御可能な流れ調整装置であってもよい。例えば気体貯蔵装置弁７８は、任意の範囲の気体が気体供給源６４から気体ライン７４を通ってフィルタ１６へ流れることを可能にするように制御され得る。気体貯蔵装置弁７８は、気体供給源６４からの気体の流れを完全に制限するように位置付けられ得るか、流れが制限されずに流れることを可能にし得る。気体貯蔵装置弁７８は、当技術分野で知られるいずれかの従来式手段によって、気体貯蔵装置６６に接続され得る。いくつかの実施形態では、気体貯蔵装置弁７８は、相対的に速い速度で完全に開放および／または完全に閉鎖するように制御され得る。この高速移動は、再生制御器３０、エンジン制御器２４またはそれらの組み合わせによって制御される高速制御機構（不図示）によって促進され得る。高速制御機構は例えば、電気、圧電、空気圧、液圧または他の制御器を含み得る。いくつかの実施形態では、高速制御機構は、ソレノイド、サーボモータ、または他の従来式手段であり得る。
【００４３】
気体貯蔵装置６６は、気体貯蔵装置６６の入口近くに配置された気体逆止弁８２も含み得る。気体逆止弁８２は、圧縮気体が気体供給源６４から気体貯蔵装置６６へ流れることを可能にし、気体が気体貯蔵装置６６の入口を通って出ることを阻止するように構成され得る。気体逆止弁８２は従って、気体貯蔵装置６６内に加圧気体を貯蔵することを補助し得る。
【００４４】
本開示のさらなる実施形態において、他の様々な流路を使用して気体供給源６４からフィルタ１６へ流れを向けてもよいことが理解される。例えば、いくつかの実施形態では、気体貯蔵装置６６は３方向弁（不図示）、または使用者が気体貯蔵装置６６を迂回して気体供給源６４から直接フィルタ１６へ圧縮気体の流れを向けることを可能にすることができり他の種類の弁を含み得る。他の例示的実施形態では、気体貯蔵装置６６は省略され得る。
【００４５】
フィルタ整備システム６２の真空源６８は、真空ライン８４によって、例えば真空貯蔵装置７０およびフィルタ１６などのフィルタ整備システム６２の構成要素に接続され得る。この実施形態では、真空ライン８４は、気体ライン７４がフィルタ１６に結合されるフィルタ媒体３８の側と反対のフィルタ媒体３８の側で、フィルタ１６に結合される。真空源６８は容器７２も含み得る。
【００４６】
真空源６８は例えば、整備場真空、真空ポンプ、または別の装置内で負圧を生じさせることができる他のいずれかの装置を含み得る。真空源６８はフィルタ１６を清浄化するのに有用ないずれかの動力または能力のものであり得、その寸法は清浄化されるフィルタ１６の寸法および／または種類によって制限され得る。例えばコーディエライトプラグを含むフィルタは約１５０ｐｓｉを超える負圧を受けるとプラグおよび／または他のフィルタ媒体３８が損傷する可能性がある。従ってそのようなフィルタを清浄化するために使用される真空源６８は、約１５０ｐｓｉ未満の最大能力を有し得る。本開示のいくつかの実施形態では、真空源６８はフィルタ１６に一定の真空を供給し得、それによりフィルタ１６内に一定の負圧を生じさせ得る。他の実施形態では、真空源６８はパルス化されたまたは可変の真空をフィルタ１６に供給し得る。フィルタ１６に供給される真空の一貫性は、各用途によって変わる可能性があり、フィルタ１６の構造、設計、型および／または他の特性に依存し得る。
【００４７】
容器７２は真空源６８に流体接続され得る。容器７２はフィルタ１６から取り除かれた物質を収集するように構成され得、真空源６８に取外し可能に取り付けられ得る。例えばいくつかの実施形態では、真空源６８がフィルタ１６から物質を引くとき、取り除かれた物質は真空源の内側の真空フィルタ（不図示）を通過し得る。そのような実施形態では、容器７２は真空フィルタによって収集された物質を収集し、貯蔵し得る。容器７２はフィルタ１６から取り除かれた物質を収集するのに有用な任意の寸法であり得、任意の有用な容量および形状を有し得る。例えば容器７２は円筒状または箱状であり得、剛性容器または可撓性バッグであり得る。容器７２はいかなる種類または組成の物質も収集して貯蔵するように設計され得る。本開示の一実施形態では、容器７２は有害汚染物質、例えば灰などを貯蔵するように設計され得、例えば鋼、スズ、強化布、アルミニウム、複合材料、セラミック、または当技術分野で知られる他のいずれかの材料から作製され得る。容器７２は、収集された物質の廃棄を容易にするために、素早く切り離し、そして真空源６８に再接続することができる。
【００４８】
フィルタ整備システム６２はさらに、真空貯蔵装置７０を含み得る。真空貯蔵装置７０は真空源６８の入口の下流に位置付けられ得、真空源６８は真空ライン８４によって真空貯蔵装置７０に流体接続され得る。真空貯蔵装置７０は負圧で気体を貯蔵できるいずれかの装置であり得る。真空貯蔵装置７０のハウジング壁厚は、そのような負圧に適切であり得る。真空貯蔵装置７０は例えば高圧気体タンクを含み得、当技術分野で知られるいずれかの材料から作製され得る。真空貯蔵装置７０は気体貯蔵装置６６と類似の機械的特性を有し得、いくつかの実施形態では真空貯蔵装置７０は気体貯蔵装置６６と同じであり得る。真空貯蔵装置７０が本開示のフィルタ整備システム６２に流体接続される前に負圧で気体を含む実施形態では、真空源６８は省略され得る。真空貯蔵装置７０は、例えば流れ、圧力、温度、または当技術分野で知られる他の流れ基準値を検出できる少なくとも１つの真空貯蔵装置センサ８６を含み得る。
【００４９】
真空貯蔵装置入口８８は真空ライン８４によってフィルタ１６の出口と流体接続され得、真空貯蔵装置弁９０は真空貯蔵装置入口８８の近くに配置され得る。真空貯蔵装置弁９０は例えばポペット弁、バタフライ弁、制御可能な膜、または当技術分野で知られる他のいずれかの型の制御可能な流れ調整装置であってもよい。例えば真空貯蔵装置弁９０は、任意の範囲の気体がフィルタ１６から真空貯蔵装置７０へ流れることを可能にするように制御され得る。真空貯蔵装置弁９０は、フィルタ１６からの気体の流れを完全に制限するように位置付けられ得るか、流れが制限されずに流れることを可能にし得る。真空貯蔵装置弁９０は、当技術分野で知られるいずれかの従来式手段によって、真空貯蔵装置７０に接続され得る。いくつかの実施形態では、真空貯蔵装置弁９０は、相対的に速い速度で完全に開放および／または完全に閉鎖するように制御され得る。この高速移動は、再生制御器３０、エンジン制御器２４またはそれらの組み合わせによって制御される高速制御機構（不図示）によって促進され得る。
【００５０】
真空貯蔵装置７０はさらに、真空貯蔵装置７０の出口近くに配置された真空逆止弁９２を含み得る。真空逆止弁９２は、気体が真空貯蔵装置７０から真空源６８へ流れることを可能にし、気体が真空貯蔵装置７０の出口から真空貯蔵装置７０に入ることを阻止するように構成され得る。真空逆止弁９２は従って、真空貯蔵装置７０内に負圧下に気体を貯蔵することを補助し得る。
【００５１】
さらに、いくつかの実施形態では、フィルタ整備システム６２はさらに、フィルタ１６に作用するように構成された振動装置９４を含み得る。そのような構成では、フィルタブラケット９６は、フィルタ１６の少なくとも一部が振動装置による作動に応答して振動することを可能にしながら、フィルタ１６を静止面に固定するように構成され得る。振動装置９４は例えば、それが装着されているかごく近くにある物体を素早く作動または振動することができる機械式、磁気式、液圧式、音響式、電気式、空気圧式または当技術分野で知られる他の装置であり得る。振動装置９４は従来式手段を介してフィルタハウジング４０に取外し可能に装着され得、フィルタハウジング４０の周囲または外周の周りに少なくとも部分的に延在するように構成され得る。別の例示的実施形態では、振動装置９４は、フィルタ１６に装着された２つ以上の別個の構成要素を含み得る。振動装置９４は、振動が例えばフィルタ媒体３８から物質を取り除くことを補助し得る場所で、フィルタ１６に接続され得ることが理解される。例示的実施形態では、振動装置９４は、実質的にフィルタ媒体３８の全長に沿って延在するようにフィルタハウジング４０に配置され得る。そのような実施形態では、振動装置９４は例えば、フィルタハウジング４０に沿って長手方向に延在するジャイロギヤ装置であり得る。
【００５２】
振動装置９４は、再生制御器３０、エンジン制御器２４、またはそれらの組み合わせに電気的に接続され得る。振動装置９４は手動でも制御され得ることが理解される。振動装置９４は、フィルタ１６から物質を取り除くのに有用ないずれかの振動周波数をフィルタ１６に送ることが可能であり得る。代替実施形態では、振動装置９４はフィルタ整備システム６２から省略され得る。
【００５３】
上に記載したように、フィルタブラケット９６は、振動装置９４による作動に応答してフィルタ１６の少なくとも一部が振動することを可能にしながら、フィルタ１６を静止面に固定するように構成され得る。これらフィルタブラケット９６は、振動装置９４によって伝達される振動を少なくとも部分的に減衰し得ることが理解される。しかしながら振動装置９４および／またはフィルタブラケット９６は、フィルタ１６が静止面に装着されている間、振動装置９４による作動がフィルタ１６から物質を取り除くことを補助し得るように、この減衰を低減するように調整または選択され得る。さらなる例示的実施形態では、フィルタブラケット９６は望ましくは減衰を低減するように緩められ得る。あるいは振動装置９４は、フィルタ１６が整備のため取り外された後、フィルタ１６に接続され得る。
【００５４】
本開示の再生システムは、フィルタを再生することが望まれるいかなる用途にも使用され得る。再生システムはフィルタ媒体の目詰まり状態を監視し、目詰まり状態に基づいて再生プロセスを開始する、続ける、または中止し得る。目詰まり状態は、フィルタの飽和が最大閾値を超えているかどうかを決定するために、較正されたルックアップテーブルを用いて参照され得る。再生システムはその後、再生プロセスを設定し得る。再生プロセスは、煤および灰をフィルタから除去するために、１０〜２０ＧＨｚの周波数スペクトルを有する非熱プラズマ誘発衝撃波を利用し得る。異なる上昇時間を有する電圧パルスを使用することによって、異なる周波数スペクトルを有する衝撃波が得られ得ることも考えられる。再生プロセスが完了したことが決定されたあと、フィルタ整備システムを使用して、フィルタから解放された灰、煤および他の粒子を取り除くことができる。開示された再生システムの可能性のある用途は、とりわけ、可動式および固定式ディーゼルエンジン用途を含む。次に再生システム１２の作動を詳しく記載する。
【００５５】
図１に描かれる再生システム１２の作動の間、再生制御器３０はフィルタ媒体３８の目詰まり状態を監視し得る。一実施形態では、目詰まり状態はフィルタ媒体３８を横切る圧力降下を測定することによって決定され得る。続いて測定された圧力降下は、フィルタ媒体３８の目詰まり状態を決定するために、較正されたルックアップテーブルを用いて再生制御器３０によって参照され得る。さらに、いくつかの実施形態では、測定された粒子状物質レベルが、フィルタ媒体３８の目詰まり状態を決定するために、ルックアップテーブルを用いて再生制御器３０によって参照され得る。目詰まり状態が最大閾値を超えているとき、再生プロセスは開始し得る。いくつかの実施形態では、再生制御器３０は、フィルタ媒体３８の目詰まり状態に基づいて、固定された時間起きるように、自動的に再生プロセスを設定する。
【００５６】
再生プロセスの間、再生制御器３０はパルス発生器４４に１つまたは複数の電圧パルスを発生させかつ電極４２に印加させ、それにより電極４２とフィルタハウジング４０の間に非熱プラズマ５８を発生させ得る。非熱プラズマ５８は複数の衝撃波を発生させ得、衝撃波はフィルタ１６内を伝播する間に煤および灰を除去し、フィルタ１６およびフィルタハウジング４０内の１つまたは複数の表面に反射する。印加される１つまたは複数の電圧パルスの電圧パルスパラメータは、プラズマ誘発衝撃波が約１０〜２０ＧＨｚの衝撃波周波数スペクトルを有するように選択される。いくつかの実施形態では、再生制御器３０は、１つまたは複数の電圧パルスを、所定の周波数でおよび／または所定の時間、印加する。電圧パルスパラメータは、プラズマ誘発衝撃波がフィルタ媒体３８のチャネル直径のオーダーの対応波長を有する周波数スペクトルを有するように選択され得ることも考えられる。
【００５７】
いくつかの実施形態では、再生制御器３０は、再生プロセスの間、診断装置を用いて汚染物質レベル（例えば煤）を積極的に監視し得る。続いて測定された汚染物質レベルは、フィルタ媒体３８の目詰まり状態を決定するために、ルックアップテーブルと参照され得る。さらに、いくつかの実施形態では、再生制御器３０は、再生プロセスの間、診断装置６０を用いて、フィルタ媒体３８を横切る圧力降下を積極的に監視し得る。続いて測定された圧力データは、フィルタ媒体３８の目詰まり状態を決定するために、ルックアップテーブルと参照され得る。この実施形態では再生プロセスは、フィルタ媒体３８の目詰まり状態が最小閾値未満になるまで起こり得る。また再生制御器３０は、所望なら再生システム１２の使用者による手動の起動に基づいて再生サイクルを開始し得ることが考えられる。
【００５８】
いくつかの実施形態では、再生制御器３０は衝撃波センサ６０を用いて衝撃波を積極的に監視し得る。さらに、いくつかの実施形態では、再生制御器３０は衝撃波センサ６０を用いて、誘発される衝撃波の周波数スペクトルを積極的に監視し得る。従って再生制御器３０は衝撃波センサ６０から信号を受け取り、受け取った信号をメモリに記憶されたルックアップテーブルのデータと参照させ、各パルスが所望の衝撃波周波数スペクトルを作り出しているかどうかを決定し得る。例えば、測定された周波数スペクトルが低い場合、再生制御器３０は印加される電圧パルスの上昇時間を増大するようにパルス発生器４４に命令を出し得る。同様に、測定された衝撃波周波数が高すぎる場合、再生制御器３０は電圧パルス上昇時間を低減するようにパルス発生器４４に命令を出し得る。さらに誘発衝撃波の組の間の周波数が低い場合、再生制御器３０は印加される電圧パルス間の間隔を低減し得る。対照的に誘発衝撃波の組の間の周波数が高すぎる場合、再生制御器３０は印加される電圧パルス間の間隔を増大し得る。
【００５９】
再生プロセスの間、同じく再生制御器３０は、確実に非熱プラズマ５８が生成されているように、電圧および電流パルスを積極的に監視し得る。再生制御器３０は、熱放電が起きているかどうか（例えばアーク）を決定するために、測定された電圧および電流パルスを比較し、非熱プラズマ５８が生成されるまで電圧パルスパラメータを動的に調整し得る。
【００６０】
可動式動力システムでは、いったん再生プロセスが完了すると、あらゆる解放された粒子状物質を取り除く必要があり得る。いくつかの可動式動力システムでは、粒子状物質の取り除きは各再生プロセスのあとで起こり得る。他の実施形態では、粒子状物質の取り除きは、周期的に起こり得る（例えば再生プロセスの設定数のあと、再生サイクル間の時間が最小閾値を下回ったとき等）。整備場から離れているとき、粒子状物質は、真空または他の方法で圧縮空気を用いて吹き飛ばすことによって、アクセス点４１を介して取り除くことができる。取り除きは、可動式動力システムが移動している間は自動的に、または整備場で停止しているときは手動で、達成することができる。いくつかの実施形態では、整備場を利用するとき、解放された粒子状物質は、以下で考察されるようにフィルタ整備システム６２によってフィルタ１６から取り除かれ得る。
【００６１】
固定式動力システムでは、いったん再生プロセスが完了すると、再生制御器３０は、フィルタ媒体３８から除去されたあらゆる解放された灰および煤を自動的に取り除くために、フィルタ整備システム６２の１つまたは複数の構成要素と通信し得る。例えば再生制御器３０は真空貯蔵装置７０内に負圧を発生させるために真空源６８を起動し得る。次に再生制御器３０は、フィルタ１６内の解放されかつ除去された粒子状物質を容器７２へ排除するために、真空貯蔵装置弁９０を開放し得る。
【００６２】
さらに、いくつかの実施形態では、再生制御器３０は、気体貯蔵装置６６を加圧するために気体供給源６４を起動し得る。この実施形態では、再生制御器３０が真空貯蔵装置弁９０を開放するとき、再生制御器３０は同じく気体貯蔵装置弁７８を開放し得、従って粒子状物質をフィルタ１６から容器７２へ排除する時間を短縮し得るより大きな差圧をもたらす。
【００６３】
さらに、いくつかの実施形態では、再生制御器３０は、特定の時間および特定の振動周波数でフィルタ１６を振動するように振動装置９４に命令し得る。上で考察したように、次に再生制御器３０は粒子状物質をフィルタ１６から容器７２へ排除し得る。粒子状物質の手動排除が１つまたは複数のアクセス点４１を介して起こり得ることも考えられる。
【００６４】
いくつかの利点がフィルタ再生システム１２に関連付けられ得る。例えばフィルタ再生システム１２は、電極４２がフィルタ媒体３８の構造の一部ではないので、様々なフィルタとともに使用可能であり得る。フィルタハウジング４０が第２の電極として機能する単一電極の使用により設計が単純かつ安価に維持される。さらに電極４２とフィルタハウジング４０の間で生成される、非熱プラズマであるプラズマは、電極腐食の可能性を低減する一助となり得る。さらに高周波数衝撃波の使用は、標準排気ガス温度でフィルタ媒体３８から除去される灰および煤の量を改善し得る。
【００６５】
本開示の範囲から逸脱することなく本開示の方法に様々な修正および変更を行ってもよいことは当業者には明らかである。他の実施形態は、本明細書に開示される方法の仕様および実践の考慮から当業者に明らかになる。仕様および例は単に例示として考慮され、本開示の真の範囲は以下の請求項およびそれらの等価物によって示されることが意図される。
【図１】
2015505002.tif 000003
【図２】
2015505002.tif 000004
【国際調査報告】
2015505002.tif 000005
2015505002.tif 000006